(57)【特許請求の範囲】
【請求項１】
金属製中空ゴルフクラブヘッドにおいて、クラブヘッド本体の内部に、ソール部側からクラウン部に形成したシャフト挿入孔に向かって、かつクラウン部と分離したシャフト先端支持部材をソール部と一体的に形成し、前記シャフト挿入孔をシャフトの径よりも大きくし、前記シャフト先端支持部材の基端部に、前記クラブヘッド本体の外側から前記シャフト挿入孔を通して重量体を着脱可能に取付けたことを特徴とする金属製中空ゴルフクラブヘッド。
【請求項２】
前記重量体を横断面略Ｃ字状に形成し、前記シャフト先端支持部材の基端部に嵌合させて弾性的に締付け固定した請求項１に記載の金属製中空ゴルフクラフヘッド。
【請求項３】
前記横断面Ｃ字状に形成された重量体に偏肉部を形成した請求項２に記載の金属製中空ゴルフクラブヘッド。
【発明の詳細な説明】
【０００１】
【発明の属する技術分野】
この発明は、ウッドゴルフクラブヘッドまたはアイアンゴルフクラブヘッド等の金属製中空ゴルフクラブヘッドに係わり、更に詳しくはクラブヘッド本体とシャフトとの固定支点を、クラブヘッド本体内のホーゼル側に設け、更に重量体をシャフト先端支持部材の基端部に着脱可能に取付け可能とすることにより、クラブヘッド本体の重心位置を任意に調整することが出来る金属製中空ゴルフクラブヘッドに関するものである。
【０００２】
【従来の技術】
従来、ウッドゴルフクラブヘッド（またはアイアンゴルフクラブヘッド）等の金属製の中空ゴルフクラブヘッドは、図６に示すように、ヘッド本体１のホーゼル部２がヘッド本体１のクラウン部３と一体的に形成され、ホーゼル部２はクラウン部３から外方向に突出させたり、またはヘッド本体１内に突出させて形成し、シャフト４の先端側を支持固定させる構成になっている。
【０００３】
【発明が解決しようとする課題】
即ち、従来のホーゼル部２は、ヘッド本体１のクラウン部３と連結された一体構造で、所謂，完全剛性体となっているため、ゴルフクラブのスウィング時や、ボールインパクト時（打球時）には、ヘッド本体１の変形は殆ど起こらない構造になっている。
【０００４】
従って、リアルロフト，フェースアングル等、ゴルフクラブの動的挙動に対しては、完全剛性体であるヘッド本体自身には関係せず、シャフトの特性（例えば，シャフトの撓み，捩じれ，弾性力等）に影響されるところが大きく打球したボールの方向性や、高さ方向に安定感が得られないのが実情であった。
また、従来のゴルフクラブでボールを打球すると、クラウン部３から外方向に突出したホーゼル部２の上端部に応力が集中し、シャフト４の折れを引き起こす原因となっていた。
【０００５】
更に、従来の外観を変えずにクラブヘッド本体の質量調整方法としては、ホーゼル部内の底部に質量調整用の重量体を配設したり、ソール部に重量体を配置するための特別な手段、例えば、ソール部に雌ネジを切り、重量体に形成した雄ネジによって取付ける構成になっていた。
然しながら、上記のようなクラブヘッド本体の質量調整方法は、全てヘッド本体の重心位置を下方（ソール部側）に移動させるものであり、更にシャフトを取付ける際、シャフトの先端をカットして長さを調整する必要が生じたり、重量体の交換には、シャフトの脱着が必要となって、多くの手間と時間を要すると言う問題があった。
【０００６】
この発明は、かかる従来の課題に着目して案出されたもので、シャフトの特性に影響されず、しかもヘッド本体とシャフトとの剛性感を持たせることなく安定した打球の方向性及び高弾道を得ることが出来、更にシャフトの折損を有効に防止し、また重量体の位置を、クラブヘッドの外観を変化させることなく任意に容易に調整でき、クラブヘッドの重心の位置調整を簡単に行うことが出来る金属製中空ゴルフクラブヘッドを提供することを目的とするものである。
【０００７】
【課題を解決するための手段】
この発明は、上記目的を達成するため、クラブヘッド本体の内部に、ソール部側からクラウン部に形成したシャフト挿入孔に向かって、かつクラウン部と分離したシャフト先端支持部材をソール部と一体的に形成し、前記シャフト挿入孔をシャフトの径よりも大きくし、前記シャフト先端支持部材の基端部に、前記クラブヘッド本体の外側から前記シャフト挿入孔を通して重量体を着脱可能に取付けたことを要旨とするものである。
【０００８】
前記シャフト先端支持部材の基端部に取付ける重量体は、横断面略Ｃ字状に形成され、シャフト先端支持部材の基端部に嵌合させて弾性的に締付け固定させることを要旨とするものである。
【０００９】
更に、横断面Ｃ字状に形成された重量体に、偏肉部を形成することにより重心位置の調整も可能である。
この発明は上記のように構成され、金属製中空ゴルフクラブヘッドにおいて、シャフト先端支持部材、即ち、ホーゼル部をソール部の内壁面に中空部内側に向かって立設させると共に、クラウン部と分離させてヘッド本体とシャフトとの剛性感を持たせることなく構成することで、ゴルフクラブのスウィング時や、ボールインパクト時（打球時）に、シャフトの特性（例えば，シャフトの撓み，捩じれ，弾性力等）に影響されることなく、ヘッド本体自体を変形させて打球でき、この結果、安定した打球の方向性及び高弾道を得ることが出来るものである。
【００１０】
また、上記のような構造の金属製中空ゴルフクラブヘッドにおいて、シャフト先端支持部材の基端部に、重量体を着脱可能に取付け得るように構成することで重量体の位置を、クラブヘッドの外観を変化させることなく任意に容易に調整でき、クラブヘッドの重心位置の調整を簡単に行うことが出来るものである。
【００１１】
以下、添付図面に基づき、この発明の実施形態を説明する。
なお、従来例と同一構成要素は、同一符号を付して説明は省略する。
図１は、この発明の第１実施形態（参考例）を示すゴルフクラブヘッドのヘッド本体１の縦断正面図、図２は図１の縦断側面図を示し、前記ヘッド本体１は、クラウン部３とフェース部６とソール部５とは、金属材料（例えば、チタンまたはチタン合金等）により中空で一体的に成形されている。
【００１２】
前記クラウン部３には、シャフト４のシャフト挿入孔７が形成され、またソール部５の内壁面５ａには、前記クラウン部３に形成したシャフト挿入孔７に向かって、かつクラウン部３と分離したシャフト先端支持部材８（ホーゼル）が一体的に形成されている。
前記シャフト先端支持部材８は、図１に示すように、中空筒状に形成され、この中空筒状の底部８ａは、密閉または開口させて形成するものである。また前記クラウン部３に形成したシャフト挿入孔７は、シャフト４及びシャフト先端支持部材８の径よりも大きく形成して、シャフト４の側面がシャフト挿入孔７の周縁部に直接接触しない構造にしてある。
【００１３】
また、クラウン部３に形成したシャフト挿入孔７とシャフト４との隙間には、該間隙を覆い、かつ着脱可能な高比重金属（例えば、真鍮，銅・・・等）から成るリング状の重量体９が装着してあり、この重量体９は、シャフト挿入孔７の周縁部に着脱可能に係合する凹部９ａが形成してある。
このように、クラウン部３に形成したシャフト挿入孔７とシャフト４との隙間に、予めシャフト４に挿入させたリング状の重量体９の凹部９ａをシャフト挿入孔７の周縁部に係合させて取付けることで、ヘッド本体１の重心を高重心とすることが出来、打球時にヘッド本体１が吹き上がるのを防止して安定したスウィングをすることが出来るものである。
【００１４】
また、図３及び図４は、この発明の第２実施形態を示すヘッド本体１の縦断正面図とＡーＡ矢視断面図を示し、この実施形態は、ソール部５側のシャフト先端支持部材８の基端部８ｂに横断面略Ｃ字状に形成された重量体１０を取付け、ヘッド本体１を低重心化させたものである。この重量体１０は、上記のように横断面略Ｃ字状に形成され、ヘッド本体１の外側からシャフト４に重量体１０をはめ込み、重量体１０をヘッド本体１内へ移動させてシャフト先端支持部材８の基端部８ｂに嵌め込んで弾性的に締付け固定させるものである。
【００１５】
また、シャフト４とシャフト挿入孔７との隙間に、ゴム及びプラスチック等のシール部材１１を介在させることで、クラブヘッド本体１の中空部１ａ内にゴミや水等の異物が入り込むのを防止すると共に、シャフト４がシャフト挿入孔７の周縁部に接触して傷付くのを有効に防止し、更にスウィング時の風切音を防止したり、打球音を改善できフィーリングを向上させることが出来るものである。
【００１６】
更に、リング状または横断面略Ｃ字状に形成された重量体９，１０に、偏肉部を形成することにより重心位置の調整も可能である。
以上のように、金属製中空ゴルフクラブヘッドにおいて、シャフト先端支持部材８を、ソール部５の内壁面５ａに中空部１ａ内側に向かって立設させると共に、クラウン部３と分離させることにより、ヘッド本体１とシャフト４との剛性感を持たせることなく構成することができ、この結果、ゴルフクラブのスウィング時や、ボールインパクト時（打球時）に、シャフト４は、ソール部５に一体的に形成されたシャフト先端支持部材８の基端部８ｂを支点とすることが出来る。
【００１７】
従って、ゴルフクラブのスウィング時や、ボールインパクト時（打球時）には、図５に示すように、シャフト４の特性（例えば，シャフトの撓み，捩じれ，弾性力等）に影響されることなく、ヘッド本体１自体を矢印Ｘのように変形させて打球でき、この結果、安定した打球の方向性及び高弾道を得ることが出来るものである。
【００１８】
また、金属製中空ゴルフクラブヘッドにおいて、クラウン部３に形成したシャフト挿入孔７とシャフト４との間、またはシャフト先端支持部材８の基端部８ａに、重量体９，１０を着脱可能に取付け得るように構成することで重量体９，１０の位置を、クラブヘッドの外観を変化させることなく容易に調整でき、クラブヘッドの重心位置の調整を簡単に行うことが出来るものである。
【００１９】
更に、クラウン部３に形成したシャフト挿入孔７からクラブヘッド本体１の中空部１ａに、異物が侵入しないように構成することで、スウィング時の風切音を防止したり、打球音を改善できフィーリングを向上させることが出来るものである。
なお、上記の実施形態では、ウッドゴルフクラブのヘッド本体１について説明したが、アイアンゴルフクラブのクラブヘッドに適用することは可能である。
【００２０】
【発明の効果】
この発明は、上記のようにクラブヘッド本体の内部に、ソール部側からクラウン部に形成したシャフト挿入孔に向かって、かつクラウン部と分離したシャフト先端支持部材をソール部と一体的に形成し、シャフト挿入孔をシャフトの径よりも大きくし、前記シャフト先端支持部材の基端部に、クラブヘッド本体の外側から前記シャフト挿入孔を通して重量体を着脱可能に取付けたので、以下のような優れた効果を奏するものである。
(1) ゴルフクラブのスウィング時や、ボールインパクト時（打球時）に、シャフトの特性（例えば，シャフトの撓み，捩じれ，弾性力等）に影響されることなく、ヘッド本体自体を変形させて打球でき、この結果、安定した打球の方向性及び高弾道を得ることが出来るものである。
(2) シャフト先端支持部材の基端部に、重量体を着脱可能に取付け得るように構成することで重量体の位置を、クラブヘッドの外観を変化させることなく任意に容易に調整でき、クラブヘッドの重心位置の調整を簡単に行うことが出来るものである。
【図面の簡単な説明】
【図１】この発明の第１実施形態を示すウッドゴルフクラブのヘッド本体の縦断正面図である。
【図２】図１のウッドゴルフクラブのヘッド本体の縦断側面図である。
【図３】この発明の第２実施形態を示すウッドゴルフクラブのヘッド本体の縦断正面図である。
【図４】図３のＡーＡ矢視断面図である。
【図５】ゴルフクラブのスウィング時や、ボールインパクト時におけるヘッド本体の変形状態を示す説明図である。
【図６】従来のウッドゴルフクラブのヘッド本体の縦断正面図である。
【符号の説明】
１  ヘッド本体                        １ａ  ヘッド本体の中空部
２  ホーゼル部                          ３  クラウン部
４  シャフト                            ５  ソール部
５ａ  ソール部の内壁面                    ６  フェース部
７  シャフト挿入孔                      ８  シャフト先端支持部材
８ａ  シャフト先端支持部材の底部        ８ｂ  基端部
９  重量体                            ９ａ  凹部
１０  重量体                            １１  シール部材
【図１】
0003592005.tif 000002
【図２】
0003592005.tif 000003
【図３】
0003592005.tif 000004
【図４】
0003592005.tif 000005
【図５】
0003592005.tif 000006
【図６】
0003592005.tif 000007